(57)【特許請求の範囲】
【請求項１】
毛髪が植設されるかつらベースを染色するかつらベースの染色方法において、
複数のベース素材のうち少なくとも２つが接合部にて重なるように接合されてなる前記かつらベースを、前記少なくとも２つのベース素材のうち少なくとも１つが前記接合部に近づくにつれて色が濃くなるように染色する、
ことを特徴とするかつらベースの染色方法。
【請求項２】
前記かつらベースを、前記少なくとも１つのベース素材が前記接合部に近づくにつれて段階的に色が濃くなるように染色することを特徴とする請求項１記載のかつらベースの染色方法。
【請求項３】
前記かつらベースを、前記少なくとも１つのベース素材が前記接合部に近づくにつれて該接合部を挟んで隣接するベース素材の色に近づくように染色することを特徴とする請求項１又は請求項２記載のかつらベースの染色方法。
【請求項４】
請求項１から請求項３のいずれか１項記載のかつらベースの染色方法により前記かつらベースを染色し、
染色された前記かつらベースに毛髪を植設する、
ことを特徴とするかつらの製造方法。
【発明の詳細な説明】
【技術分野】
【０００１】
本発明は、毛髪が植設されるかつらベースの染色方法及びかつらの製造方法に関する。
【背景技術】
【０００２】
かつらベースに使用される素材は、ポリウレタン等の合成樹脂をシート状にしたものや、合成繊維又は天然繊維をライン状又は網目状に編んだネット状のものが主に使用される。現在では、通気性や耐久性の観点から、ネット状素材が用いられることが多い。
【０００３】
かつらの製造において、部分かつらの場合にはかつらベースの大きさが小さいため、かつらベースに深いアール形状を付与する必要がない場合が多い。これに対し、半かつら又は全頭かつらにおいては頭部の広い範囲を覆うため、頭の形状に沿った深いアール形状を必要とするものが多い。
【０００４】
部分かつら（深いアール形状を必要としないもの）の場合には、かつらベースは、１枚のベース素材で製造することが可能であるが、半かつら又は全頭かつらの場合には、頭部の丸い形状を形成するために複数枚のベース素材を繋ぎ合わせて製造される手法が提案されている（例えば、特許文献１参照）。
【０００５】
なお、かつらベースとして、境界部分がぼやかし部分となった２種の色彩を有するものが知られている（例えば、特許文献２参照）。
【先行技術文献】
【特許文献】
【０００６】
【特許文献１】実開昭６１−１３７６２２号公報
【特許文献２】実開平２−９４２１７号公報
【発明の概要】
【発明が解決しようとする課題】
【０００７】
ところで、ベース素材同士を繋ぎ合わせる手段である接着、縫製等の各種手段は、いずれの場合も接合部においてベース素材同士を重ね合わせる必要がある。接合部は、二重或いは三重に重ねられるため、その継ぎ目部分が外部から視認されやすくなるという問題が生じる。
【０００８】
この問題への対処としては、継ぎ目部分に植設する毛髪を他の部位よりも多めにすることで外部から見えにくくするという手段が考えられるが、かつらのヘアスタイルを作成する上で毛量バランスに偏りが生じるため、技術者が梳き鋏で毛量調整を行う必要があり大きなデメリットとなる。また、本来必要としない毛髪を植設しなければならないことは、生産性の面からも適切ではない。
【０００９】
一方、かつらの周縁部を自然な外観とするためには、かつらベースの周縁を装着者の皮膚の色に近づけるだけでは足りず、かつらベースの外形が視認されないよう、かつらベースの周縁に毛髪が多めに植設され、なおかつ、自毛とかつらに植毛される毛髪とが混在する必要がある。そのため、かつらの周縁部を自然な外観とする場合も、自毛との馴染み具合を考慮しながら、毛髪量を調整する必要が生じる。
【００１０】
本発明の目的は、毛髪量の調整を省略してかつらの外観を自然にすることができるかつらベースの染色方法及びかつらの製造方法を提供することである。
【課題を解決するための手段】
【００１１】
本発明のかつらベースの染色方法は、毛髪が植設されるかつらベースを染色するかつらベースの染色方法において、複数のベース素材が接合部にて接合されてなる上記かつらベースを、上記複数のベース素材のうち少なくとも１つが上記接合部に近づくにつれて色が濃くなるように染色する。
【００１２】
また、上記かつらベースの染色方法において、上記かつらベースを、上記複数のベース素材のうち少なくとも１つが上記接合部に近づくにつれて段階的に色が濃くなるように染色するようにしてもよい。
【００１３】
また、上記かつらベースの染色方法において、上記かつらベースを、上記複数のベース素材のうち少なくとも１つが上記接合部に近づくにつれて該接合部を挟んで隣接するベース素材の色に近づくように染色するようにしてもよい。
【００１４】
本発明の他のかつらベースの染色方法は、毛髪が植設されるかつらベースを染色するかつらベースの染色方法において、上記かつらベースを周縁に近づくにつれて色が濃くなるように染色する。
【００１５】
また、上記かつらベースの染色方法において、上記かつらベースを周縁に近づくにつれて段階的に色が濃くなるように染色するようにしてもよい。
本発明のかつらの製造方法は、上記かつらベースの染色方法により上記かつらベースを染色し、染色された上記かつらベースに毛髪を植設する。
【発明の効果】
【００１６】
本発明によれば、かつらの外観を自然にすることができる。
【図面の簡単な説明】
【００１７】
【図１】本発明の一実施の形態におけるかつらベースを示す右側面図（左側頭部側）である。
【図２】本発明の一実施の形態におけるかつらベースの染色装置を示す斜視図である。
【図３Ａ】本発明の一実施の形態に係るかつらベースの染色方法を説明するためのかつらベースの染色装置の斜視図（その１）である。
【図３Ｂ】本発明の一実施の形態に係るかつらベースの染色方法を説明するためのかつらベースの染色装置の斜視図（その２）である。
【図３Ｃ】本発明の一実施の形態に係るかつらベースの染色方法を説明するためのかつらベースの染色装置の斜視図（その３）である。
【図３Ｄ】本発明の一実施の形態に係るかつらベースの染色方法を説明するためのかつらベースの染色装置の斜視図（その４）である。
【図３Ｅ】本発明の一実施の形態に係るかつらベースの染色方法を説明するためのかつらベースの染色装置の斜視図（その５）である。
【図４Ａ】本発明の一実施の形態における染色されたベース素材を示す平面図（その１）である。
【図４Ｂ】本発明の一実施の形態における染色されたベース素材を示す平面図（その２）である。
【図５】本発明の一実施の形態におけるかつらを示す右側面図（左側頭部側）である。
【図６】本発明の他の実施の形態におけるかつらベースを示す右側面図（左側頭部側）である。
【発明を実施するための形態】
【００１８】
以下、本発明の実施の形態に係るかつらベースの染色方法及びかつらの製造方法について、図面を参照しながら説明する。
図１は、本発明の一実施の形態におけるかつらベース１０を示す右側面図（左側頭部側）である。
【００１９】
図１に示すかつらベース１０は、頭頂部から前頭部に亘って設けられたネット状ベース素材１１と、後頭部から左右両側の側頭部に亘って設けられたネット状ベース素材１２と、前頭部の生え際部分に設けられた樹脂シート状ベース素材１３と、を備える。
【００２０】
ネット状ベース素材１１とネット状ベース素材１２とは、例えば、接着、縫製等による接合部１４において接合されている。なお、接合部１４は、図１において線状に図示しているが、実際には帯状を呈する。
【００２１】
ネット状ベース素材１１と樹脂シート状ベース素材１３とは、接合部１５において接合されているが、ネット状ベース素材１１の上に樹脂シート状ベース素材１３を設けるようにしてもよい。
【００２２】
ネット状ベース素材１１は、接合部１４に近接する後端部分以外は同一色（Ｃ１１ａ）であるが、後端においては、ネット状ベース素材１２との接合部１４に近づくにつれて色が濃くなっている（Ｃ１１ｂ，Ｃ１１ｃ，Ｃ１１ｄ）。
【００２３】
ネット状ベース素材１１の色は、接合部１４に近づくにつれて色が段階的に濃くなるように変化するとよい。この段階的な色の変化は、例えば３段階以上である。また、ネット状ベース素材１１の色は、接合部１４を挟んで隣接するネット状ベース素材１２の色に近づくように変化するのもよく、本実施の形態では、ネット状ベース素材１１の接合部１４側の端部の色（Ｃ１１ｄ）は、ネット状ベース素材１２の色（Ｃ１２）と同一である。
【００２４】
図２は、本実施の形態におけるかつらベースの染色装置２０を示す斜視図である。
図３Ａ〜図３Ｅは、かつらベース１０（ネット状ベース素材３０）の染色方法を説明するためのかつらベースの染色装置２０の斜視図である。
【００２５】
図２に示すかつらベースの染色装置２０は、図３Ｃ〜図３Ｅに示す染色溶液２５が供給される容器２１と、この容器２１内に配置された台座２２と、染色溶液２５の温度を調整するのに用いられる温度調整部２３と、電源コード２４とを備える。
【００２６】
台座２２は、かつら装着者の頭部の形状に合わせてアール形状を呈する。台座２２には、ネット状ベース素材３０が載置される。このネット状ベース素材３０は、後述する染色の後に適宜切り取られて図１に示すようにネット状ベース素材１１などとしてかつらベース１０に配置されるが、予め、かつらベース１０に配置される形状となっていてもよい。
【００２７】
温度調整部２３は、図示しないヒータに接続され、染色溶液２５の温度を調整するのに用いられる。染色溶液２５の温度は、あくまで一例であるが、例えば１２０〜１８０℃である。
【００２８】
まず、図３Ａ及び図３Ｂに示すように、ネット状ベース素材３０は、染色領域（本実施の形態では全体）が染色溶液２５に浸るように、台座２２上に固定される。ネット状ベース素材３０は、かつら装着者の頭部の形状に合うアール形状に予め形成されている。
【００２９】
次に、図３Ｃに示すように、ネット状ベース素材３０の例えば全体が浸るように染色溶液２５が容器２１に供給される（染色溶液２５−１）。
所定時間が経過した後、図３Ｄに示すように、染色溶液２５の量が減らされ（染色溶液２５−２）、ネット状ベース素材３０の一部が染色溶液２５から露出し、他の部分は染色溶液２５に浸った状態となる。
【００３０】
再度、所定時間が経過した後、図３Ｅに示すように、染色溶液２５の量が更に減らされ（染色溶液２５−３）、ネット状ベース素材３０が染色溶液２５から更に露出し、他の部分は染色溶液２５に浸った状態となる。
【００３１】
これにより、図４Ａ及び図４Ｂに示すように、ネット状ベース素材３０は、染色溶液２５に浸っていた時間が短い内側（色Ｃ３０ａ）から、染色溶液２５に浸っていた時間が長い外側（色Ｃ３０ｃ）に向けて段階的に色が濃くなる。なお、染色溶液２５の量を段階的に減らすのではなく徐々に減らすことで、色Ｃ３０ａ〜Ｃ３０ｃも段階的に変化するのではなく徐々に変化する。
【００３２】
なお、染色溶液２５の量が異なる複数の容器２１にネット状ベース素材３０が順次浸されるようにすることで、染色容器２５の量を調整する手間を省くことができる。
また、ネット状ベース素材３０を染色する領域は、台座２２への固定状態によって、適宜調整可能である。例えば、図４Ａに示すように、染色溶液２５の量を調整する過程でネット状ベース素材３０の台座２２への固定状態を変更することで、２段階目のＣ３０ｂを部分的に省略することができるなど（図４Ａにおける上側（正面側））、染色領域を調整可能である。
【００３３】
図５は、本実施の形態におけるかつら１を示す右側面図（左側頭部側）である。
図５に示すかつら１は、上述のように染色されたかつらベース１０に毛髪４０が植設されてなる。なお、図５では毛髪４０を一部のみ図示するが、実際には、毛髪４０は、ネット状ベース素材１１，１２及び樹脂シート状ベース素材１３の全体に植設される。
【００３４】
以上説明した本実施の形態では、ネット状ベース素材１１（複数のベース素材のうち少なくとも１つ）が接合部１４に近づくにつれて色が濃くなるように、かつらベース１０を染色する。これにより、ネット状ベース素材１１，１２が重なることで色が濃くなる接合部１４について、色が濃くなる部分をぼやかすことができる。そのため、毛髪４０を他の部位よりも多めに植設するなどの毛髪量調整を省略して、接合部１４が外部から視認されやすいのを防ぐことができる。よって、本実施の形態によれば、毛髪量の調整を省略してかつら１の外観を自然にすることができる。
【００３５】
また、本実施の形態では、ネット状ベース素材１１（複数のベース素材のうち少なくとも１つ）が接合部１４に近づくにつれて段階的に色が変化するようにかつらベース１０を染色する。そのため、徐々に色を変化させる場合のような手間のかかる染色作業を行わずに、かつら１の外観を自然にすることができる。
【００３６】
また、本実施の形態では、ネット状ベース素材１１（複数のベース素材のうち少なくとも１つ）が接合部１４に近づくにつれて接合部１４を挟んで隣接するネット状ベース素材１２の色に近づくようにかつらベース１０を染色する。そのため、隣接するネット状ベース素材１１，１２の色の違いをぼやかすことができる。したがって、より一層、かつら１の外観を自然にすることができる。
【００３７】
なお、本実施の形態では、ネット状ベース素材１１の後端のみにおいて色を変化させる例を説明したが、他のベース素材との接合部に近づくにつれて色を変化させるようにしてもよい。
【００３８】
また、本実施の形態のネット状ベース素材１１，１２及び樹脂シート状ベース素材１３の形状等はあくまで一例であり、複数のベース素材が接合部にて接合されてなるかつらベースであれば本実施の形態を適用可能である。
【００３９】
図６は、本発明の他の実施の形態におけるかつらベース５０を示す右側面図（左側頭部側）である。
本実施の形態では、上述の一実施の形態と同様の事項については説明を省略し、相違する事項を説明する。
【００４０】
図６に示すかつらベース５０は、頭頂部から前頭部に亘って設けられたネット状ベース素材５１と、後頭部から左右両側の側頭部に亘って設けられたネット状ベース素材５２と、を備える。
【００４１】
ネット状ベース素材５１とネット状ベース素材５２とは、例えば、接着、縫製等による接合部５３において接合されている。
かつらベース５０の周縁の一例であるネット状ベース素材５１の前端は、前端に近づくにつれて色が濃くなっている（Ｃ５１ａ，Ｃ５１ｂ，Ｃ５１ｃ，Ｃ５１ｄ）。ネット状ベース素材５１の色は、周縁である前端に近づくにつれて色が段階的に濃くなるように変化するとよい。この段階的な色の変化は、例えば３段階以上である。
【００４２】
なお、染色方法については、上述の一実施の形態と同様に例えばかつらベースの染色装置２０等を用いて行えばよい。そして、毛髪が植設されてかつらが製造される。また、色の変化については、上述の一実施の形態と同様に、徐々に変化させるようにしてもよい。また、かつらベース５０の周縁については、ネット状ベース素材５１の前端ではなく、ネット状ベース素材５２の後端、左端、右端等であってもよい。
【００４３】
以上説明した本実施の形態では、ネット状ベース素材５１の前端（かつらベース５０の周縁）に近づくにつれて色が濃くなるようにかつらベース５０を染色する。これにより、自毛とかつらベース５０との境界部分をぼやかすことができる。そのため、毛髪４０を他の部位よりも多めに植設するなどの毛髪量調整を省略して、かつらベース５０の外形が外部から視認されやすいのを防ぐことができる。よって、本実施の形態によっても、毛髪量の調整を省略してかつら１の外観を自然にすることができる。
【００４４】
また、本実施の形態では、ネット状ベース素材５１の前端（かつらベース５０の周縁）に近づくにつれて段階的に色が変化するように、かつらベース５０を染色する。そのため、徐々に色を変化させる場合のような手間のかかる染色作業を行わずに、かつら１の外観を自然にすることができる。
【符号の説明】
【００４５】
１      かつら
１０      かつらベース
１１，１２      ネット状ベース素材
１３      樹脂シート状ベース素材
１４      接合部
２０      かつらベースの染色装置
２１      容器
２２      台座
２３      温度調整部
２４      電源コード
２５      染色溶液
３０      ネット状ベース素材
４０      毛髪
５０      かつらベース
５１，５２      ネット状ベース素材
５３      接合部
【図１】
0005856784.tif 000002
【図２】
0005856784.tif 000003
【図３Ａ】
0005856784.tif 000004
【図３Ｂ】
0005856784.tif 000005
【図３Ｃ】
0005856784.tif 000006
【図３Ｄ】
0005856784.tif 000007
【図３Ｅ】
0005856784.tif 000008
【図４Ａ】
0005856784.tif 000009
【図４Ｂ】
0005856784.tif 000010
【図５】
0005856784.tif 000011
【図６】
0005856784.tif 000012